(57)【要約】      （修正有）【課題】洗濯物干しの洗濯ばさみ（ピンチ）に代えて洗濯物を簡単にクリップできるようにする。かつ洗濯物干しの収納を容易にする。【解決手段】凹型断面形状を持つ部材（１）の凹型底部外側に半円形状の縦溝（３）を設けると共に、該溝（３）に十手形状の鈎状の角（２）を所定間隔に設ける。該角（２）の先端部と根元部の間を繋ぐ弓状のばね材（５）を取り付け、該ばね材（５）の弓状に張り出した部分を上記縦溝（３）に食い込むようにしたことにより洗濯物をクリップすることができる。このクリップを複数個設けた部材（４）を複数本並行に配置し、折りたたみ式洗濯物干しを作る。【効果】洗濯物の挟み込み、取り外しが簡単になり、かつ洗濯ばさみ（ピンチ）を無くしたため狭いスペースにも容易に収納できる。【選択図】図１
2005319309.tif 000002
【特許請求の範囲】
【請求項１】
幅約２０ミリ、高さ約１５ミリで厚みが約数ミリの凹型の断面形状を持った棒材の凹の底面外側に十手の鈎状になった角を任意の数だけ同じ向に約７０ミリ間隔で設ける。この角の形状は棒の面から約２０ミリ平行に離れて長さ約４５ミリの鈎になっている。
角の先端部と根元部の間を繋ぐような形で、直径約１．５ミリの弓状に張り出したステンレス鋼のばね材を取り付け、この弓状に張り出したバネの円弧部分が対峙する棒側の面に、半円形の凹みを縦に設けてこの凹み部分に上記バネが食い込むようにする。洗濯物をこの棒材の凹み部と弓状に張り出したバネ材の間に角の先端部から差し込むと、クリップで挟まれたような形に固定される（以下これを「針金クリップ」という）。
数個の針金クリップを設けた棒材（以下これを「針金クリップ棒」という）を任意の本数だけ角が水平に向く形に約６０ミリ間隔で平行に並べて適当なサイズの格子状の枠を硬質プラスチックで整形する。なお、角が枠の外側を向いている一番端の針金クリップ棒は角が内側に向くようにし、隣の針金クリップ棒の角と向き合うように間隔を約８０ミリに調整する。
この枠２面を、針金クリップ棒が縦に連なった形になるように観音開きにヒンジで繋いで折りたたみ式の洗濯物干しを作る。なお、この２面が開いた状態は１８０度ではなく、約１５０度とし、開いて吊るした時に、外側が水平面に対して約１５度上がった形になるようにする。
上記針金クリップの弓状に張り出した円弧部分が収まる凹みの断面は、中心部がバネ材取り付け穴の軸からの距離が最も遠くなり、上下にずれるに従い、徐々に短くなるような形状にする。これにより、針金クリップに挟まれた洗濯物の重さが下方に作用して針金クリップの締め付けが強くなる。また、この凹み部には細くて浅い溝を縦に数条設けて洗濯物を横にスライドして挟み込むときに繊維の一部がこの溝に沿って挟み込まれることで、洗濯物が垂直方向に滑り難くする。
また上記のようにヒンジで繋いだ２面の洗濯物干し枠の外側を水平面に対して約１５度上がった形にすることで、洗濯物が風などで横にずれて針金クリップから外れることを防ぐことが出来る。
洗濯物は横から角に差し込むような形で差し込むことにより、針金クリップで簡単かつ確実に保持することが出来る。また、洗濯物を差し込む方向を統一することで乾燥後の洗濯物の取り込みの際に、洗濯物が付いたまま、洗濯物干しを折り畳んで、複数又は全ての洗濯物を纏めて掴んで一定の方向に引くと簡単に外すことが出来る。また、従来型の洗濯はさみがないので、すっきりして、狭いスペースにも簡単に収納することも出来る。
また、針金クリップの数及び針金クリップ棒の数を上手に組み合わせることで旅行携帯用洗濯物干等色々な使用法に対応できる製品が出来る。
【発明の詳細な説明】
【技術分野】
【０００１】  本発明は、従来の洗濯はさみ（ピンチ）を用いないで、洗濯物を吊るすことの出来る洗濯物干しの構成と形状に関する。
【背景技術】
【０００２】  現在市場に出回っているほぼ全ての洗濯物干しは、洗濯物を吊るすのに洗濯はさみを使用している。このため洗濯物を吊るす時と乾燥後の取り入れの際に、洗濯はさみをひとつひとつ指でつまむのが面倒である。また、洗濯はさみが絡み合ったりして洗濯物干し自体の収納も面倒である。
【発明の開示】
【発明が解決しようとする課題】
【０００３】  従来の洗濯はさみ以外の方法で洗濯物を簡単に挟み込み、乾燥後の洗濯物の取り込みの際には簡単に取り外しが可能で、洗濯物干しそのものも洗濯はさみがないことですっきりとして、収納が簡単に出来る製品が欲しい。
【課題を解決するための手段】
【０００４】  断面性能の良い形状の棒に約６０ミリ間隔で十手の鈎の形状をした角を設け、この角の先端と根元部を繋ぐ形で弓状に張り出した針金バネを取り付けて、この弓状に張り出したバネの円弧部分が対峙する棒の面に縦に細長い半円形の溝を設け、この半円形の溝に弓状の針金バネの円弧の部分が食い込むようにする。これにより針金バネがいつもバネを蓄えた形で半円形の溝に向かって押した状態となり、この部分に洗濯物を滑り込ますことによってしっかりと固定することが出来る（以下この部分を「針金クリップ」という）。【０００５】  適当な数の角を設けた棒材（以下これを「針金クリップ棒」という）を角が横に向くような形に約６０ミリ間隔で平行に並べて適当なサイズの格子枠を硬質プラスチックで整形し、これを２面針金クリップ棒が縦に連なるような形にヒンジで観音開きに組み込むことで、折り畳み式の洗濯物干しを作る。
【発明の効果】
【０００６】洗濯バサミがなく、横向きの鈎に引っ掛けるような形で洗濯物を挟み込むことができ、乾燥後の取り込みも同様に横に引っ張るだけで簡単に取り外すことが出来る。特に乾燥した洗濯物を取り込むときには、本発明品を折り畳んで、洗濯物を纏めて掴んで一緒に外すことが出来る。また、洗濯物干し単体がすっきりするので、狭いスペースに収納でき、洗濯はさみが絡んだりする問題も解決出来る。
【実施例１】
【０００７】  断面形状が幅約２０ミリ、高さ約１５ミリ、厚さ約数ミリの凹型の棒材（図１）の凹みの外側の面に長さ約４５ミリの十手の鈎状になった角（図２）を棒の面から約２０ミリ平行に離した形に約７０ミリ間隔で設け、この角と対峙する面に細長い半円形の溝（図３）を縦に設けたものを針金クリップ棒（図４）とする。【０００８】  角の先端部と根元部の間を繋ぐような形で、弓状の直径約１．５ミリのステンレス鋼の針金バネ（図５）を取り付け、上記の細長い溝に針金バネの円弧の部分が外向きに食い込むようにする。これにより、針金バネと細長い溝の間に洗濯物（図６）を差し込める針金クリップを作ることが出来る。【０００９】  上記細長い溝の形状は、針金クリップ棒を横に置いて角が水平な状態で、凹みの中心が針金バネの取り付け軸からの距離が最大となり、中心から上下に外れるに従い、距離が短くなるような円弧の線形にする。これにより、棒を水平に置いた状態で洗濯物を挟み込むと、洗濯物の自重で針金クリップの締りが更に効く状態になり、洗濯物が外れ難くなる。【００１０】  また、溝の縦方向の線形及びバネ針金の線形も角の根元部に行くに従いクリップの効きが僅かに緩くなるようにし、洗濯物が奥に進んで手前に外れ難くする。更に溝には縦方向に細くて浅い溝（図７）を数条設ける。これにより、洗濯物は横には滑るが、垂直方向には滑り難くする。【００１１】  この針金クリップ棒を約６０ミリ間隔で平行に角を同じ横方向に向けて並べて（外側の１本だけは向き合う形に内側に向ける）、縦約４５０ミリ、横約４５０ミリの格子状の枠を硬質プラスチックで成形する。この枠２面を針金クリップ棒が縦に連なる形にヒンジ（図８）で観音開きに組み込み込むことで、９６個の針金クリップを供えた折り畳み式洗濯物干しが完成する。【００１２】  なお、この２面の枠は水平（１８０度）に開くのではなく、水平面に対して両端が約１５度上に傾いたＶ形（約１５０度）に開くようにする。これにより、洗濯物の自重でクリップの奥へ作用する力が発生し、洗濯物が風で横に揺れても簡単に外れないようになる。
【その他の例】
【００１３】  １本又は複数の針金クリップ棒を色んな形で組み込むことで多くの用途に対応出来る。
【図面の簡単な説明】
【００１４】
【図１】針金クリップ棒を２面の格子に組み込んだ洗濯物干しの全体図
【図２】針金クリップの詳細図
【図３】針金クリップの断面図
【符号の説明】
【００１５】  １．幅約２０ミリ、高さ約１５ミリ、厚さ約数ミリの凹型の棒材断面
２．十手の鈎状になった角
３．針金バネが食い込む溝
４．針金クリップ棒
５．針金バネ
６．洗濯物
７．針金バネの食い込む凹み部の底に設けた細くて浅い数条の溝
８．２面の格子を繋ぐヒンジ
【図１】
2005319309.tif 000003
【図２】
2005319309.tif 000004
【図３】
2005319309.tif 000005